(57)【要約】【課題】係止突起と係止孔とが係止（ロック）する係止構造のコネクタユニットにおいて、ロック解除およびコネクタ離脱の作業性を向上させるコネクタ離脱治具を提供する。【解決手段】コネクタ離脱治具１０は、棒状の掴み部１１と、その中心軸１１ａと平行に、互いに間隔をあけて配置された一対のコネクタ離脱突起１２と、コネクタ離脱突起１２の間でコネクタ離脱突起１２に対して略垂直に配置されたロック解除突起１３とを有している。ロック解除突起１３をメスコネクタ１１０の側壁外面１１２ａとオスコネクタ１２０のフード内面１２９ｂとの間に挿入して、掴み部１１を矢印Ｒの方向に回動すると、フード１２９は外側に向かって弾性変形され、ロックビーク１１８はロックホール１２８から抜け出し、メスコネクタ１１０はオスコネクタ１２０から引き離す方向の力を受ける。【選択図】図７
2017069136.tif 000002
【特許請求の範囲】
【請求項１】
外方に向かって突出した係止突起が側壁に設けられている内側コネクタを、側壁を貫通した係止孔が設けられている外側コネクタに挿入して、前記係止突起を前記係止孔に抜け出し不可能に係止させる係止構造を有するコネクタユニットにおける、前記係止を解除するためのコネクタ離脱治具であって、
棒状または管状の掴み部と、
前記掴み部に設置され、前記掴み部の中心軸に対して略平行な面内で互いに間隔をあけて配置された一対のコネクタ離脱突起と、
前記掴み部に設置され、前記一対のコネクタ離脱突起の間で前記離脱突起に対して略垂直な面内に配置されたロック解除突起とを有し、
前記ロック解除突起は、前記内側コネクタの側壁の外面と前記外側コネクタの側壁の内面との間に挿入され、前記内側コネクタの側壁の外面と前記ロック解除突起との当接部を支点にして回動されることを特徴とするコネクタ離脱治具。
【請求項２】
前記ロック解除突起は、前記回動される際、前記コネクタ離脱突起が前記外側コネクタの端面に当接して、前記内側コネクタおよび前記外側コネクタを互いに引き離すことを特徴とする請求項１記載のコネクタ離脱治具。
【発明の詳細な説明】
【技術分野】
【０００１】
本発明はコネクタ離脱治具、特に、係止突起と係止孔とからなる係止構造によって接続されたコネクタにおける接続を解除するためのコネクタ離脱治具に関する。
【背景技術】
【０００２】
従来、ソレノイド等の電気部品に設置されるコネクタ（以下「コネクタユニット」と称す）は、メス端子を収容したメスコネクタハウジング（以下「メスハウジング」と称す）と、メス端子に電気的に接続されるオス端子を収容したオスコネクタハウジング（以下「オスハウジング」と称す）とを有している。メスハウジングは端面が開口した箱体であって、側壁に外方に向かって突出した係止突起（以下「ロックビーク」と称す場合がある）が設けられ、一方、オスハウジングは端面が開口した箱体であって、側壁に貫通した係止孔（以下「ロックホール」と称す場合がある）が設けられている。
そして、メスハウジングをオスハウジング内に挿入すると、メスハウジングまたはオスハウジングの側壁は弾性変形して、係止突起の先端がオスハウジングの側壁の内面に摺動し、やがて係止突起が係止孔に到達したところで側壁は弾性復元し、係止突起は係止孔に抜け出し不可能に係止（以下「ロック」と称す）するものである（例えば、特許文献１参照）。
【先行技術文献】
【特許文献】
【０００３】
【特許文献１】特開２０１５−８８２５６号公報（第５−７頁、図１）
【発明の概要】
【発明が解決しようとする課題】
【０００４】
特許文献１に開示された発明（コネクタユニット）は、引き出される電線（ワイヤハーネス）の配索方向に応じて、縦方向あるいは横方向に向けて電線保護規制カバーを組み付けることができるという優れものであるものの、前記のような係止構造を採用しているため、ロックを解除して、メスハウジングとオスハウジングとを引き離す（以下「コネクタ離脱」と称す）際、以下のような問題があった。
（ａ）オスハウジングの側壁（正確には係止孔と開口した端面との間の範囲、以下「フード」と称す）の内面とメスハウジングの側壁（正確には係止突起と端面との間の範囲）の外面との間に板状の解除治具を差し込み、フードを外側に撓ませることで、ロックを解除してメスハウジングを引き出そうとすると、解除治具をメスハウジングに仮固定することができないため、狭いスペースではロック解除およびコネクタ離脱の作業性が悪い。
（ｂ）また、メスハウジングの側壁（正確には係止突起と端面との間の範囲、以下「指当て部」と称す）を内側に押し込み、メスハウジングの側壁を内側に撓ませることで、ロックを解除してメスハウジングを引き出そうとすると、メスハウジングの側壁は撓み難く（弾性変形が容易でなく）、また、カバーや電線が障害となり、指当て部は押し難いため、ロック解除およびコネクタ離脱の作業性が悪い。
【０００５】
本発明は、このような状況に鑑みてなされたものであり、係止突起と係止孔とが係止する係止構造のコネクタユニットにおいて、ロック解除およびコネクタ離脱の作業性を向上させるコネクタ離脱治具を提供することにある。
【課題を解決するための手段】
【０００６】
本発明に係るコネクタ離脱治具は、外方に向かって突出した係止突起が側壁に設けられている内側コネクタを、側壁を貫通した係止孔が設けられている外側コネクタに挿入して、前記係止突起を前記係止孔に抜け出し不可能に係止させる係止構造を有するコネクタユニットにおける、前記係止を解除するためのコネクタ離脱治具であって、
棒状または管状の掴み部と、前記掴み部に設置され、前記掴み部の中心軸に対して略平行な面内で互いに間隔をあけて配置された一対のコネクタ離脱突起と、前記掴み部に設置され、前記一対のコネクタ離脱突起の間で前記離脱突起に対して略垂直な面内に配置されたロック解除突起とを有し、
前記ロック解除突起は、前記内側コネクタの側壁の外面と前記外側コネクタの側壁の内面との間に挿入され、前記内側コネクタの側壁の外面と前記ロック解除突起との当接部を支点にして回動されることを特徴とする。
【０００７】
また、前記ロック解除突起は、前記回動される際、前記コネクタ離脱突起が前記外側コネクタの端面に当接して、前記内側コネクタおよび前記外側コネクタを互いに引き離すことを特徴とする。
【発明の効果】
【０００８】
本発明に係るコネクタ離脱治具は、以上の構成であって、回動だけの動作で、梃子の原理によって軽減されたロック解除力でもって、外側コネクタの側壁を外側に向かって変形させ、係止（ロック）を容易に解除することができる。また、回動による一連の動作（ワンアクション）によって、内側コネクタと外側コネクタとを引き離すことができる。よって、ロック解除およびコネクタ離脱の作業性を向上させることができる。
【図面の簡単な説明】
【０００９】
【図１】本発明の実施の形態１に係るコネクタ離脱治具を説明するものであって、使用対象となるコネクタユニットを示す斜視図である。
【図２】図１に示すコネクタユニットの構成部材をそれぞれ離して示す分解斜視図である。
【図３】図１に示すコネクタユニットの係止構造を示す側面視の断面図である。
【図４】本発明の実施の形態１に係るコネクタ離脱治具を説明する斜視図である。
【図５】図４に示すコネクタ離脱治具を説明する側面視の部分断面図である。
【図６】本発明の実施の形態１に係るコネクタ離脱治具を説明するものであって、ロック解除動作における斜視図である。
【図７】本発明の実施の形態１に係るコネクタ離脱治具を説明するものであって、ロック解除動作における側面視の断面を示す断面図である。
【図８】本発明の実施の形態１に係るコネクタ離脱治具を説明するものであって、コネクタ離脱動作における側面視の断面を示す断面図である。
【図９】本発明の実施の形態１に係るコネクタ離脱治具を説明するものであって、コネクタ離脱動作における側面視の断面を示す断面図である。
【図１０】本発明の実施の形態２に係るコネクタ離脱治具を説明するものであって、使用対象となるコネクタユニットの構成部材をそれぞれ離して示す分解斜視図である。
【図１１】本発明の実施の形態２に係るコネクタ離脱治具を説明するものであって、使用対象となるコネクタユニットの係止構造を示す底面視の断面図である。
【図１２】本発明の実施の形態２に係るコネクタ離脱治具を説明するものであって、（ａ）および（ｂ）は斜視図、（ｃ）は側面視の部分拡大図である。
【図１３】本発明の実施の形態２に係るコネクタ離脱治具を説明するものであって、（ａ）はロック解除動作の初期における全体を示す斜視図、（ｂ）はロック解除動作の初期における底面視の断面を示す断面図、（ｃ）は（ｂ）の一部を拡大して示す拡大断面図である。
【図１４】本発明の実施の形態２に係るコネクタ離脱治具を説明するものであって、（ａ）は、ロック解除動作の終期における底面視の断面を示す断面図、（ｂ）は（ａ）の一部を拡大して示す拡大断面図である。
【図１５】本発明の実施の形態２に係るコネクタ離脱治具を説明するものであって、コネクタ離脱動作の初期における底面視の断面を示す断面図である。
【図１６】本発明の実施の形態２に係るコネクタ離脱治具を説明するものであって、コネクタ離脱動作の終期における底面視の断面を示す断面図である。
【図１７】本発明の実施の形態３に係るコネクタ離脱治具を説明するものであって、使用対象となるコネクタユニットの構成部材をそれぞれ離して示す分解斜視図である。
【図１８】本発明の実施の形態３に係るコネクタ離脱治具を説明するものであって、使用対象となるコネクタユニットの係止構造を示す底面視の断面図である。
【図１９】本発明の実施の形態３に係るコネクタ離脱治具を説明するものであって、（ａ）は全体を示す斜視図、（ｂ）は全体を示す右側面図、（ｃ）は全体を示す左側面図である。
【図２０】本発明の実施の形態３に係るコネクタ離脱治具を説明するものであって、（ａ）は図１９の（ｃ）の一部を拡大して示す部分背面図、（ｂ）は図１９の（ｂ）における断面Ｃ−Ｃを示す断面図、（ｃ）は図２０の（ｂ）の一部を拡大して示す部分断面である。
【図２１】本発明の実施の形態３に係るコネクタ離脱治具を説明するものであって、治具保持動作の開始前における全体を示す斜視図である。
【図２２】本発明の実施の形態３に係るコネクタ離脱治具を説明するものであって、（ａ）は治具保持状態における底面視の断面を示す断面図、（ｂ）は（ａ）の断面Ｆ−Ｆを示す背面視の断面図である。
【図２３】本発明の実施の形態３に係るコネクタ離脱治具を説明するものであって、（ａ）は治具保持動作の開始前における図２２の（ａ）の断面Ｆ−Ｆを拡大して示す部分断面図、（ｂ）は治具保持の動作中における図２２の（ａ）の断面Ｆ−Ｆを拡大して示す部分断面図、（ｃ）は治具保持動作の終了時における図２２の（ａ）の断面Ｆ−Ｆを拡大して示す部分断面図である。
【図２４】本発明の実施の形態３に係るコネクタ離脱治具を説明するものであって、（ａ）はロック解除動作の開始時における底面視の断面の一部を拡大して示す部分断面図、（ｂ）はロック解除動作の終了時における底面視の断面の一部を拡大して示す部分断面図である。
【図２５】本発明の実施の形態３に係るコネクタ離脱治具を説明するものであって、コネクタ離脱動作における底面視の断面の一部を拡大して示す部分断面図である。
【図２６】本発明の実施の形態４に係るコネクタ嵌合保持構造を説明する斜視図である。
【図２７】本発明の実施の形態４に係るコネクタ嵌合保持構造を説明するものであって、構成部材をそれぞれ離して示す分解斜視図である。
【図２８】図２６に示すコネクタ嵌合保持構造における構成部材の一部（カバー）を説明するものであって、（ａ）は斜め正面側からの斜視図、（ｂ）は斜め背面側からの斜視図、（ｃ）は図２８の（ｂ）の一部を拡大して示す拡大斜視図である。
【図２９】図２６に示すコネクタ嵌合保持構造における構成部材の一部（カバー）を説明するものであって、（ａ）は正面図、（ｂ）は側面図である。
【図３０】図２６に示すコネクタ嵌合保持構造における構成部材の一部（カバー）を説明するものであって、（ａ）は図２９の（ａ）における断面Ａ−Ａの断面図、（ｂ）は図２９の（ａ）における断面Ｂ−Ｂの断面図である。
【図３１】図２６に示すコネクタ嵌合保持構造を説明するものであって、（ａ）は構成部材の一部（メスコネクタ保持部）を示す斜め正面側からの斜視図、（ｂ）は構成部材の一部（オスコネクタ係止部）を示す斜め正面側からの斜視図、（ｃ）は図３１の（ｂ）の一部を拡大して示す拡大斜視図である。
【図３２】本発明の実施の形態４に係るコネクタ嵌合保持構造の組み立てにおけるプレアッセンブリを説明するものであって、（ａ）はプレアッセンブリ状態における斜め正面側からの斜視図、（ｂ）はプレアッセンブリ状態における斜め背面側からの斜視図である。
【図３３】本発明の実施の形態４に係るコネクタ嵌合保持構造の組み立てにおけるプレアッセンブリを説明するものであって、（ａ）はプレアッセンブリ状態における一部を拡大して示す部分正面図、（ｂ）は図３３の（ａ）における断面Ｄ−Ｄの部分断面図である。
【図３４】本発明の実施の形態４に係るコネクタ嵌合保持構造の組み立てにおけるアッセンブリを説明するものであって、（ａ）はアッセンブリの初期における斜視図、（ｂ）はアッセンブリの初期における一部を拡大して示す正面視の部分断面図である。
【図３５】本発明の実施の形態４に係るコネクタ嵌合保持構造の組み立てにおけるアッセンブリを説明するものであって、（ａ）はアッセンブリの初期における一部を拡大して示す図３４の（ｂ）の断面Ｇ−Ｇの部分断面図、（ｂ）はアッセンブリの初期における一部を拡大して示す図３４の（ｂ）の断面Ｅ−Ｅの部分断面図である。
【図３６】本発明の実施の形態４に係るコネクタ嵌合保持構造の組み立てにおけるアッセンブリを説明するものであって、（ａ）はアッセンブリの終期における一部を拡大して示す図３４の（ｂ）の断面Ｇ−Ｇに相当する断面の部分断面図、（ｂ）はアッセンブリの終期における一部を拡大して示す図３４の（ｂ）の断面Ｅ−Ｅに相当する断面の部分断面図である。
【図３７】本発明の実施の形態４に係るコネクタ嵌合保持構造の組み立てにおけるコネクタの離脱動作を説明するものであって、（ａ）は離脱動作の初期における図３４の（ｂ）の断面Ｇ−Ｇに相当する断面の部分拡大断面図、（ｂ）は離脱動作の終期における図３４の（ｂ）の断面Ｅ−Ｅに相当する断面の部分拡大断面図ある。
【発明を実施するための形態】
【００１０】
以下、発明を実施するための形態（以下、「実施の形態」という）を、図面を参照しつつ説明する。なお、各図は模式的に描かれたものであって、本発明は図示された形態（部位の形状や相対的な大きさ等）に限定されるものではない。また、各図が煩雑になることを避けるため、構成部材の一部の記載を省略したり、構成部材の一部について符号の記載を省略したりする場合がある。
【００１１】
［実施の形態１］
図１〜図５は本発明の実施の形態１に係るコネクタ離脱治具を説明するものであって、図１は使用対象となるコネクタユニットを示す斜視図、図２は使用対象となるコネクタユニットの構成部材をそれぞれ離して示す分解斜視図、図３は使用対象となるコネクタユニットの係止構造を示す側面視の断面図である。
【００１２】
（コネクタユニット）
図１〜図３において、コネクタユニット１００は、内側コネクタ（以下「メスコネクタ」と称す）１１０と、図示しないソレノイドに一体化された外側コネクタ（以下「オスコネクタ」と称す）１２０と、カバー１３０と、電線付きメス端子１４０とを有している。
なお、本発明において、オスコネクタ１２０がソレノイド以外の電気部品や、電気部品以外の構造物に固定されてもよく、また、カバー１３０を有しなくてもよい。
【００１３】
（メスコネクタ）
メスコネクタ１１０は、側壁１１２、１１３、１１４、１１５を具備する略直方体状のコネクタハウジング（以下「メスハウジング」と称す）１１１からなり、一方の端面（以下「前面」称す）１１６および他方の端面（以下「後面」称す）１１７に開口部が形成され、後面１１７から内部に電線付きメス端子１４０が挿入される。
そして、メスハウジング１１１の各稜線（側壁１１２と側壁１１３との交叉部等）で後面１１７に近い位置に、コネクタ側係止部１５１（合計４箇所）が設けられている。コネクタ側係止部１５１は、カバー１３０に設けられている後記するカバー側係止部１５３が係止可能な構造になっている。
【００１４】
（ロックビーク）
また、側壁１１２の外面（以下「側壁外面」と称す）１１２ａにロックビーク（「係止突起」に同じ）１１８が設けられている。ロックビーク１１８は、前面１１６と後面１１７との略中央に設けられた断面略台形であって、後面１１７になるほど外側に向かった徐々に突出するビーク前方斜面１１８ｆと、ビーク前方斜面１１８ｆに連なって、側壁外面１１２ａに平行なビーク中央平行面１１８ｃと、ビーク中央平行面１１８ｃに連なって、後面１１７になるほど側壁外面１１２ａに向かった急激に近づくビーク後方斜面１１８ｒとを具備する（図３参照）。
【００１５】
（オスコネクタ）
オスコネクタ１２０は、側壁１２２、１２３、１２４、１２５を具備する略直方体状のコネクタハウジング（以下「オスハウジング」と称す）１２１からなり、一方の端面（以下「後面」称す）１２７に開口部が形成され、後面１２７から内部にメスコネクタ１１０が挿入される。また、側壁１２４の全部または一部が図示しないソレノイドの外面に固定されている。
そして、側壁１２２に側壁１２２を貫通して、メスコネクタ１１０のロックビーク１１８が係止可能な係止孔（以下「ロックホール」と称す）１２８が設けられている。なお、説明の便宜上、側壁１２２におけるロックホール１２８と後面１２７との間をフード１２９と称し、フード１２９の外面および内面をそれぞれフード外面１２９ａおよびフード内面１２９ｂと称す。
【００１６】
（フード）
なお、フード１２９のロックホール１２８側の端面（以下「フード前方斜面」と称す）１２９ｆは、後面１２７に近づくほど急激に内側に向かって突出している（フード外面１２９ａから離れている）。そして、フード１２９は、フード前方斜面１２９ｆに連なってフード外面１２９ａに平行なフード突出平行面１２９ｃと、フード突出平行面１２９ｃに連なって後面１２７に近づくほど徐々に突出量が減少し（フード外面１２９ａに近づいて）、やがてフード内面１２９ｂに連なるフード後方斜面１２９ｒとを具備している。なお、フード内面１２９ｂは、フード外面１２９ａに平行で、後面１２７に近い範囲には、後面１２７に近づくほどフード外面１２９ａに近づく（薄くなる）フード後面取り１２９ｄが設けられている（図３参照）。
【００１７】
（係止構造）
メスコネクタ１１０およびオスコネクタ１２０は以上の構造であるから、メスコネクタ１１０をオスコネクタ１２０に挿入すると、まず、前者のビーク前方斜面１１８ｆは後者のフード後面取り１２９ｄに衝突して案内され、フード後方斜面１２９ｒに摺動する。続いて、フード１２９を外側に向けて弾性変形させ、ビーク中央平行面１１８ｃはフード突出平行面１２９ｃに摺動する。そして、ビーク後方斜面１１８ｒがフード前方斜面１２９ｆに到達したところで、フード１２９は弾性復元し、ロックビーク１１８はロックホール１２８に侵入（係止）する。このとき、前者の側壁外面１１２ａに後者のフード突出平行面１２９ｃが当接して、側壁外面１１２ａとフード内面１２９ｂとの間に隙間Ｇが形成される。
【００１８】
（カバー）
カバー１３０は、側壁１３２、１３３、１３４、１３５を具備する略直方体状のカバーハウジング１３１からなり、一方の端面（以下「前面」称す）１３６と、対向した側壁１３３および側壁１３５とに、それぞれ開口部が形成されている。
また、カバーハウジング１３１の各稜線（側壁１３２と側壁１３３との交叉部等）で前面１３６に近い位置に、カバー側係止部１５３（合計４箇所）が設けられている。カバー側係止部１５３は、メスコネクタ１１０に設けられているコネクタ側係止部１５１が係止可能な構造になっている。
そして、カバー１３０の前面１３６の開口部にメスコネクタ１１０の後面１１７が挿入され、前者のカバー側係止部１５３に後者のコネクタ側係止部１５１が係止している。このとき、カバー側係止部１５３はコネクタ側係止部１５１に対して９０°回転した位相においても係止可能であるから、カバー１３０の側壁１３３、１３５に形成された開口部の位相は、メスコネクタ１１０の側壁１１２に対して平行あるいは垂直になるよう選択可能になっている。
【００１９】
（電線付きメス端子）
電線付きメス端子１４０は、メス端子部分１４１とメス端子部分１４１に接続された電線部分１４２とを有している。メス端子部分１４１はメスコネクタ１１０に挿入され、電線部分１４２はメスコネクタ１１０の後面１１７に形成された開口部を経由して、カバー１３０の側壁１３３に形成された開口部（または側壁１３５に形成された開口部）から引き出されている。なお、本発明は電線付きメス端子１４０の型式を限定するものではない。
【００２０】
（コネクタ離脱治具）
図４および図５は本発明の実施の形態１に係るコネクタ離脱治具を説明するものであって、図４は斜視図、図５は側面視の部分断面図である。
図４において、コネクタ離脱治具１０は、棒状または管状の掴み部１１と、掴み部１１の一方の端部に設けられ、掴み部１１の中心軸１１ａに平行な面内に位置する二股（略Ｕ字状）のコネクタ離脱突起１２と、コネクタ離脱突起１２の間に配置され、コネクタ離脱突起１２に対して略垂直な面内に配置されたロック解除突起１３とを有している。
すなわち、コネクタ離脱突起１２とロック解除突起１３とは共通の板材から形成され、中央の股部が折り曲げられた三つ股のホークに相当しているが、本発明はこれに限定するものでなく、それぞれ別個の素材から形成され、それぞれが掴み部１１に設置されたものであってもよい。なお、以下の説明の便宜上、コネクタ離脱突起１２のロック解除突起１３側の面を、離脱突起前面１２ｆと称し、離脱突起前面１２ｆの反対の面を離脱突起後面１２ｒと称す。
【００２１】
（ロック解除突起）
図５において、ロック解除突起１３は、掴み部１１から離れた先端（以下「解除突起先端面」と称す）１３ｆに近い範囲で、掴み部１１側の面（以下「解除突起上面」と称す）１３ａに、解除突起先端面１３ｆに近づくほど解除突起上面１３ａを含む面から離れる（薄くなる）斜面（以下「解除突起斜面」と称す）１３ｃが形成されている。
なお、ロック解除突起１３の掴み部１１とは反対側の面を解除突起下面１３ｂと、解除突起上面１３ａと解除突起下面１３ｂとの距離を解除突起厚さＴと、それぞれ称する。また、図５（および以下に説明する図７〜９）における断面に複写線を付している。
【００２２】
（コネクタ離脱動作）
図６〜図９は本発明の実施の形態１に係るコネクタ離脱治具を説明するものであって、図６はロック解除動作における斜視図、図７はロック解除動作における側面視の断面を示す断面図、図８はコネクタ離脱動作における側面視の断面を示す断面図、図９はコネクタ離脱動作における側面視の断面を示す断面図である。なお、本発明は、ロック解除動作とコネクタ離脱動作とを厳密に分けるものではなく、ロック解除動作をしながらコネクタ離脱動作が始まる場合がある。
【００２３】
（ロック解除動作）
図６および図７において、コネクタ離脱治具１０のロック解除突起１３が、メスコネクタ１１０の側壁外面１１２ａとフード内面１２９ｂ（オスコネクタ１２０の側壁内面に同じ）との間の隙間Ｇに挿入されている。このとき、フード１２９にはフード後面取り１２９ｄが形成され、ロック解除突起１３には解除突起斜面１３ｃが形成されているから、解除突起厚さＴが隙間Ｇよりも大きくても、解除突起斜面１３ｃをメスコネクタ１１０の後面１１７とカバー１３０の前面１３６との間から、隙間Ｇに差し込むことができる。そして、フード１２９は外側に向かってわずかに変形された状態（隙間Ｇがわずかに拡大した状態）で、解除突起斜面１３ｃはフード後方斜面１２９ｒに当接している。
【００２４】
そして、掴み部１１（コネクタ離脱治具１０に同じ）は矢印Ｒで示された方向に回動されている。このとき、コネクタ離脱治具１０の解除突起下面１３ｂのコネクタ離脱突起１２に近い当接位置（中心軸１１ａに近い位置）が、メスコネクタ１１０の側壁外面１１２ａに当接し（以下かかる当接位置を「回動支点１５」と称す）、コネクタ離脱治具１０の解除突起上面１３ａの解除突起斜面１３ｃに近い位置が、オスコネクタ１２０のフード内面１２９ｂに当接する（以下かかる当接位置を「作用支点１６」と称す）。すなわち、回動支点１５を回動中心にして、梃子の原理によって、作用支点１６にフード１２９を外側に向かって弾性変形させる力が作用する。
したがって、掴み部１１を回動させる１動作（ワンアクション）によってフード１２９は外側に向かって弾性変形するため、メスコネクタ１１０のロックビーク１１８のビーク中央平行面１１８ｃは、オスコネクタ１２０のフード突出平行面１２９ｃを乗り越え、ロックビーク１１８はロックホール１２８から抜け出すことになる。すなわち、梃子の原理による小さな作用力でもって、容易に係止（ロック）を解除することができる
【００２５】
（コネクタ離脱動作）
図８において、掴み部１１は矢印Ｒ（図７参照）で示された方向にさらに回動され、コネクタ離脱治具１０のコネクタ離脱突起１２の離脱突起前面１２ｆが、オスコネクタ１２０の後面１２７（正確には、側壁１２４の後面１２７）に当接している（以下かかる当接位置を「作用支点１７」と称す）。そうすると、回動支点１５を回動中心にして、梃子の原理によって、作用支点１７に押し付ける力が作用するため、メスコネクタ１１０とオスコネクタ１２０との間には互いに引き離す方向の力が生じ、回動支点１５の位置はオスコネクタ１２０の後面１２７から離れる方向に移動する。すなわち、コネクタ離脱が始まっている。
図９において、掴み部１１（コネクタ離脱治具１０）は矢印Ｙで示された方向に移動されている。このとき、コネクタ離脱治具１０のコネクタ離脱突起１２の離脱突起後面１２ｒが、カバー１３０の前面１３６に当接している（以下かかる当接位置を「作用支点１８」と称す）。
このとき、カバー１３０はカバー側係止部１５３とコネクタ側係止部１５１とを介してメスコネクタ１１０に連結され、既に、メスコネクタ１１０とオスコネクタ１２０との係止（ロック）は解除されているから、掴み部１１の矢印Ｙで示された方向への移動によって、メスコネクタ１１０はオスコネクタ１２０から容易に引き離される（コネクタが離脱される）。
【００２６】
なお、以上はコネクタ離脱治具１０の離脱突起後面１２ｒがカバー１３０の前面１３６に当接しているが、本発明はこれに限定するものではなく、前記係止（ロック）が解除された後、掴み部１１の回動量を減らして、回動支点１５においてコネクタ離脱治具１０をメスコネクタ１１０の側壁外面１１２ａに軽く押し当てた状態にして、掴み部１１を矢印Ｙの方向に移動してもよい。
【００２７】
（作用効果）
以上のように、コネクタ離脱治具１０は、略Ｕ字状（二股）のコネクタ離脱突起１２とコネクタ離脱突起１２に対して略垂直な面内に配置されたロック解除突起１３とを有しているから、コネクタ離脱治具１０を回動させる１動作（ワンアクション）によって、係止（ロック）を解除してコネクタ離脱を開始することができる。このとき、梃子の原理によって小さな作用力で済むから作業が容易になる。さらに、コネクタ離脱治具１０を回動させた後、コネクタ離脱治具１０を持ち換えることなく、コネクタ離脱治具１０を平行移動させるだけで、コネクタの完全離脱が可能になるから、コネクタ離脱の作業性が向上する。
【００２８】
［実施の形態２］
図１０および図１１は本発明の実施の形態２に係るコネクタ離脱治具を説明するものであって、図１０は使用対象となるコネクタユニットの構成部材をそれぞれ離して示す分解斜視図、図１１は使用対象となるコネクタユニットの係止構造を示す底面視の断面図である。なお、実施の形態１と同じ部分または相当する部分には、符号の下二桁を同じにして、説明を省略する場合がある。
【００２９】
（コネクタユニット）
図１０および図１１において、コネクタユニット２００は、内側コネクタ（以下「メスコネクタ」と称す）２１０と、図示しないソレノイドに一体化された外側コネクタ（以下「オスコネクタ」と称す）２２０と、カバー２３０と、電線付きメス端子２４０とを有している。なお、本発明は、オスコネクタ２２０がソレノイド以外の電気部品や、電気部品以外の構造物に固定されてもよく、また、カバー２３０を有しなくてもよい。
【００３０】
（メスコネクタ）
メスコネクタ２１０は、側壁２１２、２１３、２１４、２１５を具備する略直方体状のコネクタハウジング（以下「メスハウジング」と称す）２１１からなり、前面２１６および後面２１７に開口部が形成され、後面２１７から内部に電線付きメス端子２４０が挿入される。そして、メスハウジング２１１の各稜線で後面２１７に近い位置に設けられたコネクタ側係止部２５１（合計４箇所）に、カバー２３０に設けられているカバー側係止部２５３が係止する。
側壁２１３は二層構造であって、側壁間隙２１３ｃによって分けられた側壁外層部（以下「ロックアーム」と称す）２１３ｂと側壁内層部２１３ｄとを具備している。すなわち、ロックアーム２１３ｂは、前記二層構造にすることによって弾性変形が容易になっている。
以下、ロックアーム２１３ｂの外面をロックアーム外面２１３ａと称す。
そして、ロックアーム外面２１３ａにロックビーク（係止突起に同じ）２１８が設けられ、ロックアーム２１３ｂに治具係止用孔２１９が設けられている。
【００３１】
（ロックビーク）
ロックビーク２１８は、前面２１６と後面２１７との略中央に設けられた断面略台形であって、ビーク前方斜面２１８ｆと、ロックアーム外面２１３ａに平行なビーク中央平行面２１８ｃと、ビーク後方斜面２１８ｒとを具備する。ビーク後方斜面２１８ｒはビーク中央平行面２１８ｃに連なって、ロックアーム外面２１３ａの法線（ビーク中央平行面２１８ｃの法線）に対してわずかに傾斜し、内側になるほど前面２１６に近づいている。
【００３２】
（治具係止孔）
治具係止用孔２１９は、ロックビーク２１８と後面２１７との間に設けられ、後記するコネクタ離脱治具２０に形成された治具係止突起２５が係止可能な貫通孔である。そして、治具係止用孔２１９の後面２１７側の面（以下「治具係止用孔面」と称す）２１９ｒは、ロックアーム外面２１３ａの法線に対してわずかに傾斜し、内側になるほど後面２１７から徐々に離れている。なお、治具係止用孔２１９を、治具係止突起２５が係止可能な凹部または凸部にしてもよい。
【００３３】
（オスコネクタ）
オスコネクタ２２０は、側壁２２２、２２３、２２４、２２５を具備する略直方体状のコネクタハウジング（以下「オスハウジング」と称す）２２１からなり後面２２７に開口部が形成され、後面２２７から内部にメスコネクタ２１０が挿入される。また、側壁２２４の全部または一部が図示しないソレノイドの外面に固定されている。
そして、側壁２２３にメスコネクタ２１０のロックビーク２１８が係止可能な係止孔（以下「ロックホール」と称す）２２８が設けられている。
【００３４】
（フード）
また、ロックホール２２８と後面２２７との間をフード２２９と称すると、フード２２９のロックホール２２８側の端面（以下「ロックホール後方斜面」と称す）２２８ｒは、フード１１９の外面（以下「フード外面」と称す）２２９ａに対してわずかに傾斜して、内側になるほど後面２２７から遠ざかっている。そして、フード２２９は、ロックホール後方斜面２２８ｒに連なってフード外面２２９ａに平行なフード内面２２９ｂと、フード内面２２９ｂに連なって後面２２７に近づくほどフード外面２２９ａ（ロックアーム外面２１３ａに同じ）に徐々に近づく（薄くなる）フード後方斜面２２９ｒとを具備している。
【００３５】
（係止構造）
メスコネクタ２１０およびオスコネクタ２２０は以上の構造であるから、メスコネクタ２１０をオスコネクタ２２０に挿入すると、まず、ロックビーク２１８のビーク前方斜面２１８ｆはフード２２９のフード後方斜面２２９ｒに衝突して摺動し、ロックアーム２１３ｂは内側に向けて弾性変形され、ロックビーク２１８のビーク中央平行面２１８ｃはフード２２９のフード内面２２９ｂに摺動する（図示しない）。そして、ビーク後方斜面２１８ｒがロックホール後方斜面２２８ｒに到達したところで、ビーク中央平行面２１８ｃはフード内面２２９ｂから外れる。
そうすると、ロックアーム２１３ｂの弾性復元力によってロックアーム外面２１３ａは外側に移動するから、ロックアーム２１３ｂに形成されたロックビーク２１８はオスコネクタ２２０のロックホール２２８に侵入（係止）する。このとき、メスコネクタ２１０のロックアーム外面２１３ａにオスコネクタ２２０のフード内面２２９ｂが当接して、ロックアーム外面２１３ａとフード後方斜面２２９ｒとの間にくさび状の隙間Ｗが形成される。
【００３６】
（カバー、電線付きメス端子）
カバー２３０は、カバー１３０に同じであって、カバー側係止部２５３がメスコネクタ２１０に設けられているコネクタ側係止部２５１に係止することによってメスコネクタ２１０に設置される。
また、電線付きメス端子２４０は電線付きメス端子１４０に同じである。
【００３７】
（コネクタ離脱治具）
図１２は本発明の実施の形態２に係るコネクタ離脱治具を説明するものであって、（ａ）および（ｂ）は斜視図、（ｃ）は側面視の部分拡大図である。
図１２において、コネクタ離脱治具２０は、棒状または管状の掴み部２１と、掴み部２１の一方の端部に設けられ、掴み部２１の中心軸２１ａに略平行な面内に位置する板状の支持部２２と、支持部２２の先端に形成され、くさび状の隙間Ｗ（図１１参照）に侵入可能な挿入部２３とを具備している。
そして、挿入部２３の一方の面（以下「治具上面」と称す）２３ａで治具先端２３ｆに近い範囲に、治具先端２３ｆに近づくほど薄くなる治具先端テーパ２４が形成され、挿入部２３の他方の面（以下「治具下面」と称す）２３ｂで治具先端２３ｆから離れた位置に治具係止突起２５が形成されている。
【００３８】
（治具係止突起）
治具係止突起２５は、治具先端２３ｆから離れるほど徐々に突出する（治具下面２３ｂから離れる）治具係止テーパ面２５ｆと、治具係止テーパ面２５ｆに連なって治具下面２３ｂの略法線の方向の治具係止垂直面２５ｒとを具備している。
【００３９】
（ロック解除動作の初期）
図１３および図１４は本発明の実施の形態２に係るコネクタ離脱治具を説明するものであって、図１３の（ａ）はロック解除動作の初期における全体を示す斜視図、図１３の（ｂ）はロック解除動作の初期における底面視の断面を示す断面図、図１３の（ｃ）は図１３の（ｂ）の一部を拡大して示す拡大断面図である。
【００４０】
図１３の（ａ）において、コネクタ離脱治具２０は矢印Ｙ１の方向に移動され、コネクタ離脱治具２０の治具先端２３ｆが、メスコネクタ２１０のロックアーム外面２１３ａとオスコネクタ２２０のフード内面２２９ｂとの間のくさび状の隙間Ｗ（図１１参照）に挿入されようとしている。
図１３の（ｂ）および（ｃ）において、コネクタ離脱治具２０の治具先端２３ｆはくさび状の隙間Ｗに挿入されている。このとき、治具先端２３ｆには治具先端テーパ２４が形成されているから、挿入部２３の厚さ（治具上面２３ａと治具下面２３ｂとの距離）が隙間Ｗより大きい（厚い）にも関わらず、治具先端テーパ２４はフード後方斜面２２９ｒに摺動し、かつ、治具下面２３ｂはメスコネクタ２１０のロックアーム外面２１３ａに摺動し、コネクタ離脱治具２０は隙間Ｗに容易に差し込まれる。
【００４１】
（ロック解除動作の終期）
図１４は本発明の実施の形態２に係るコネクタ離脱治具を説明するものであって、（ａ）は、ロック解除動作の終期における底面視の断面を示す断面図、（ｂ）は図１４の（ａ）の一部を拡大して示す拡大断面図である。
図１４において、コネクタ離脱治具２０の挿入部２３は隙間Ｗにさらに差し込まれ（矢印Ｙ１の方向に移動され）、治具先端２３ｆは、メスコネクタ２１０に形成されたロックビーク２１８のビーク後方斜面２１８ｒに当接している。このとき、治具上面２３ａはオスコネクタ２２０のフード後方斜面２２９ｒに当接し、治具下面２３ｂはメスコネクタ２１０のロックアーム外面２１３ａに当接し、ロックアーム２１３ｂは内側に向かって弾性変形されている。すなわち、くさび状の隙間Ｗ（図１１参照）は広くなっている。
このため、ロックビーク２１８のビーク後方斜面２１８ｒは、ロックホール２２８のロックホール後方斜面２２８ｒから外れ、ロックビーク２１８はロックホール２２８から抜け出している。すなわち、係止（ロック）が解除されている。
【００４２】
さらに、コネクタ離脱治具２０に形成された治具係止突起２５は、前記差し込みに際し、治具係止テーパ面２５ｆはメスコネクタ２１０に形成された側壁２２３の後面２１７寄りに摺動した後、治具係止垂直面２５ｒはメスコネクタ２１０に形成された治具係止用孔２１９の治具係止用孔面２１９ｒに係止している。
【００４３】
（コネクタ離脱動作の初期）
図１５は本発明の実施の形態２に係るコネクタ離脱治具を説明するものであって、コネクタ離脱動作の初期における底面視の断面を示す断面図である。
図１５において、コネクタ離脱治具２０は矢印Ｙ２の方向に移動されている。このとき、メスコネクタ２１０は、治具係止用孔面２１９ｒと治具係止垂直面２５ｒとの係止によってコネクタ離脱治具２０に繋がっているから、コネクタ離脱治具２０の矢印Ｙ２方向への移動によってオスコネクタ２２０からわずかに引き出されている。
そして、治具上面２３ａはフード後方斜面２２９ｒから外れ、治具先端テーパ２４はフード後方斜面２２９ｒに摺動する。また、メスコネクタ２１０のビーク中央平行面２１８ｃはオスコネクタ２２０のフード内面２２９ｂに摺動した後、メスコネクタ２１０のビーク前方斜面２１８ｆはオスコネクタ２２０のフード後方斜面２２９ｒに摺動する。
【００４４】
（コネクタ離脱動作の終期）
図１６は本発明の実施の形態２に係るコネクタ離脱治具を説明するものであって、コネクタ離脱動作の終期における底面視の断面を示す断面図である。
図１６において、コネクタ離脱治具２０は矢印Ｙ２（図１５参照）の方向にさらに移動され、メスコネクタ２１０のロックビーク２１８は、くさび状の隙間Ｗから抜け出し、メスコネクタ２１０はオスコネクタ２２０から離脱している。
【００４５】
（作用効果）
以上のように、コネクタ離脱治具２０には治具先端テーパ２４および治具係止突起２５が形成されているから、コネクタ離脱治具２０を隙間Ｗに挿入する１回の動作によって、前記係止（ロック）を解除すると共に、コネクタ離脱治具２０を隙間Ｗから引き出す１回の動作によってメスコネクタ２１０をオスコネクタ２２０から離脱させることができる。
すなわち、連続した１回の往復動作（ワンアクション）によって、ロック解除およびコネクタ離脱が可能になり、作業性が向上する。
【００４６】
［実施の形態３］
図１７および図１８は本発明の実施の形態３に係るコネクタ離脱治具を説明するものであって、図１７は使用対象となるコネクタユニットの構成部材をそれぞれ離して示す分解斜視図、図１８は使用対象となるコネクタユニットの係止構造を示す底面視の断面図である。なお、実施の形態１と同じ部分または相当する部分には、符号の下二桁を同じにして、説明を省略する場合がある。
【００４７】
（コネクタユニット）
図１７および図１８において、コネクタユニット３００は、内側コネクタ（以下「メスコネクタ」と称す）３１０と、図示しないソレノイドに一体化された外側コネクタ（以下「オスコネクタ」と称す）３２０と、カバー３３０と、電線付きメス端子３４０とを有している。なお、本発明において、オスコネクタ３２０がソレノイド以外の電気部品や、電気部品以外の構造物に固定されてもよく、また、カバー３３０を有しなくてもよい。
【００４８】
（メスコネクタ）
メスコネクタ３１０は、側壁３１２、３１３、３１４、３１５を具備する略直方体状のコネクタハウジング（以下「メスハウジング」と称す）３１１からなり、前面３１６および後面３１７に開口部が形成され、後面３１７から内部に電線付きメス端子３４０が挿入される。そして、メスハウジング３１１の各稜線（側壁３２１と側壁３２２との交叉部等）で後面３１７に近い位置に設けられたコネクタ側係止部３５１に、カバー３３０に設けられているカバー側係止部３５３が係止する。
以下の説明の便宜上、側壁３１２から側壁３１４に向かう方向を「Ｘ方向」、前面３１６から後面３１７に向かう方向を「Ｙ方向」、側壁３１５から側壁３１３に向かう方向を「Ｚ方向」と称す。そして、その他の構成部材についても、組み付け時の状況に基づいて同様に方向を規定する。
側壁３１３は二層構造であって、側壁間隙３１３ｃによって分けられた側壁外層部（以下「ロックアーム」と称す）３１３ｂと側壁内層部３１３ｄとを具備している。すなわち、ロックアーム３１３ｂは、前記二層構造にすることによって弾性変形が容易になっている。
以下、ロックアーム３１３ｂの外面をロックアーム外面３１３ａと称す。
さらに、ロックアーム外面２１３ａにロックビーク（「係止突起」に同じ）３１８および離脱用突出部３１９が設けられている。
【００４９】
（ロックビーク）
ロックビーク３１８は、前面３１６と後面３１７との略中央に設けられた断面略台形であって、ビーク前方斜面３１８ｆと、ロックアーム外面３１３ａに略平行なビーク中央平行面３１８ｃと、ビーク後方斜面３１８ｒとを具備する。ビーク後方斜面３１８ｒはビーク中央平行面３１８ｃに連なって、ロックアーム外面３１３ａの略法線（ビーク中央平行面３１８ｃの略法線）の方向に形成されている。
【００５０】
（離脱用突出部）
離脱用突出部３１９は、ロックビーク３１８と後面３１７との間に設けられ、後記するコネクタ離脱治具３０に形成されたビーク３４が押し当てられる突起である。離脱用突出部３１９は、ロックアーム外面３１３ａに平行で、ビーク中央平行面３１８ｃと略同じ量ロックアーム外面３１３ａから突出した離脱用突出部外面３１９ｃと、ロックアーム外面３１３ａに対して略垂直な離脱用突出部前面３１９ｆとを具備している。
【００５１】
（オスコネクタ）
オスコネクタ３２０は、側壁３２２、３２３、３２４、３２５を具備する略直方体状のコネクタハウジング（以下「オスハウジング」と称す）３２１からなり後面３２７に開口部が形成され、後面３２７から内部にメスコネクタ３１０が挿入される。また、側壁３２４の全部または一部が図示しないソレノイドの外面に固定されている。
そして、側壁３２３にメスコネクタ３１０のロックビーク３１８が係止可能な係止孔（以下「ロックホール」と称す）３２８が設けられている。
【００５２】
（フード）
また、ロックホール３２８と後面３２７との間をフード３２９と称すと、フード３２９のロックホール３２８側の端面（以下「ロックホール後方斜面」と称す）３２８ｒは、フード外面３２９ａに対してわずかに傾斜して、内側になるほど前面３２６に近づいている。そして、フード３２９は、ロックホール後方斜面３２８ｒに連なってフード外面３２９ａに平行なフード内面３２９ｃと、フード内面３２９ｃに連なって後面３２７に近づくほどフード外面３２９ａに徐々に近づく（薄くなる）フード後方斜面３２９ｒとを具備している。
【００５３】
（係止構造）
メスコネクタ３１０およびオスコネクタ３２０は以上の構造であるから、コネクタユニット２００（実施の形態２）と同様に、メスコネクタ３１０をオスコネクタ３２０に挿入すると、メスコネクタ３１０のロックアーム３１３ｂに形成されたロックビーク３１８はオスコネクタ３２０のロックホール３２８に侵入（係止）する。このとき、メスコネクタ３１０のロックアーム外面３１３ａにオスコネクタ３２０のフード内面３２９ｃが当接して、ロックアーム外面３１３ａとフード後方斜面３２９ｒとの間にくさび状の隙間Ｗが形成される。
【００５４】
（カバー、電線付きメス端子）
カバー３３０は、カバー１３０に同じであって、カバー側係止部３５３がメスコネクタ３１０に設けられているコネクタ側係止部３５１に係止することによってメスコネクタ３１０に設置される。
また、電線付きメス端子３４０は電線付きメス端子１４０に同じである。
【００５５】
（コネクタ離脱治具）
図１９および図２０は本発明の実施の形態３に係るコネクタ離脱治具を説明するものであって、図１９の（ａ）は全体を示す斜視図、図１９の（ｂ）は全体を示す右側面図、図１９の（ｃ）は全体を示す左側面図、図２０の（ａ）は図１９の（ｃ）の一部を拡大して示す部分左側面図、図２０の（ｂ）は図１９の（ｂ）における断面Ｃ−Ｃを示す断面図、図２０の（ｃ）は図２０の（ｂ）の一部を拡大して示す部分断面図である。
【００５６】
（フレーム）
図１９および図２０において、コネクタ離脱治具３０は、Ｙ方向視において略Ｕ字状のフレーム３１からなる。フレーム３１は、Ｘ−Ｙ面に平行に形成された（互いに平行な）フレーム上部材３１ａおよびフレーム下部材３１ｂと、フレーム上部材３１ａおよびフレーム下部材３１ｂとを連結する、Ｙ−Ｚ面に平行に形成されたフレーム中部材３１ｃとを具備する。なお、フレーム３１の−Ｙ方向の端面および＋Ｙ方向の端面をそれぞれ、フレーム前面３１ｆおよびフレーム後面３１ｒと称す。
また、フレーム上部材３１ａに形成されたＸ−Ｚ面に平行なフレームスリット３２ａと、フレーム中部材３１ｃに形成されたＸ−Ｙ面に平行なフレームスリット３２ｃとによって、短冊状のロック解除アーム（以下「アーム」と称す）３３がフレーム３１から部分的に切り離されている。
さらに、フレーム下部材３１ｂおよびフレーム中部材３１ｃにはそれぞれ、フレーム下保持突条３５ｂおよびフレーム中保持突条３５ｃが設けられている。
【００５７】
（アーム）
アーム３３は、フレーム上部材３１ａとの連結部（以下「アーム前端」と称す）３３ｆが部分的に薄肉になっていて、アーム前端３３ｆを支点にした片持ち梁（カンチレバー）になっている。なお、アーム前端３３ｆとは反対の端部をアーム後端３３ｒと称し、アーム３３のフレーム中部材３１ｃから遠い側の側縁をアーム側端３３ｅと称し、アーム３３のフレーム下部材３１ｂから遠い側の面および近い側の面をそれぞれ、アーム外面３３ａおよびアーム内面３３ｂと称す。
【００５８】
（ビーク）
アーム内面３３ｂには、アーム後端３３ｒに沿ってロック解除突条（以下「ビーク」と称す）３４が形成されている。ビーク３４はＸ−Ｚ面に平行であって、アーム後端３３ｒになるほどアーム内面３３ｂから徐々に突出する（フレーム下部材３１ｂに近づく）ビーク前方斜面（テーパ面）３４ｆと、ビーク前方斜面３４ｆに連なって、アーム内面３３ｂに平行なビーク前方平面３４ｃと、ビーク前方平面３４ｃに連なって、アーム後端３３ｒになるほどアーム内面３３ｂに近づくビーク後方斜面（逆テーパ面）３４ｒと、ビーク後方斜面３４ｒに連なってアーム後端３３ｒとの間に形成され、アーム内面３３ｂに平行なビーク後方平面３４ｄとを具備している。
このとき、アーム内面３３ｂからの突出量は、ビーク前方平面３４ｃの方がビーク後方平面３４ｄよりも大きい。
【００５９】
さらに、ビーク前方平面３４ｃは、アーム側端３３ｅ（＋Ｘ方向の端）に近い所定の範囲がアーム後端３３ｒに到達するまで延長（＋Ｙ方向に延長）され、ビーク側方平面３４ｅが形成されている。すなわち、アーム側端３３ｅ（＋Ｘ方向の端）に近い所定の範囲には、ビーク後方斜面３４ｒが形成されていない。
そして、ビーク側方平面３４ｅに連続して、アーム側端３３ｅから所定の距離離れた位置から、アーム側端３３ｅから離れるほど（−Ｘ方向になるほど）ビーク後方平面３４ｄに徐々に近づくビーク側方斜面（拾いテーパ面）３４ｔが形成されている。
【００６０】
（フレーム保持突条）
フレーム下保持突条３５ｂは、フレーム下部材３１ｂのフレーム上部材３１ａに対向した面にＸ−Ｚ面に平行に形成され、ビーク３４に対向している。また、フレーム中保持突条３５ｃは、フレーム中部材３１ｃのアーム側端３３ｅ側の面に、フレーム下保持突条３５ｂに連続して形成されている。そして、フレーム下保持突条３５ｂとフレーム中保持突条３５ｃとのフレーム前面３１ｆ側の端面はそれぞれ同一位相であって、フレーム前面３１ｆ（Ｘ−Ｙ平面）に平行になっている。
【００６１】
（治具保持動作）
図２１〜図２３は本発明の実施の形態３に係るコネクタ離脱治具を説明するものであって、図２１は治具保持動作の開始前における全体を示す斜視図、図２２の（ａ）は治具保持状態における底面視の断面を示す断面図、図２２の（ｂ）は図２２の（ａ）の断面Ｆ−Ｆを示す背面視の断面図、図２３の（ａ）は治具保持動作の開始前における図２２の（ａ）の断面Ｆ−Ｆを拡大して示す部分断面図、図２３の（ｂ）は治具保持の動作中における図２２の（ａ）の断面Ｆ−Ｆを拡大して示す部分断面図、図２３の（ｃ）は治具保持動作の終了時における図２２の（ａ）の断面Ｆ−Ｆを拡大して示す部分断面図である。
なお、治具保持動作とロック解除動作とは厳密に分離されるものではなく、治具保持動作が終了する前にロック解除動作が開始される場合がある（これについては別途詳細に説明する）。
【００６２】
図２１において、コネクタ離脱治具３０のフレーム上部材３１ａおよびフレーム下部材３１ｂがそれぞれ、オスコネクタ３２０の側壁３２３および側壁３２５を挟み付けるように、コネクタ離脱治具３０がＸ方向（矢印Ｘ３にて示す）に移動されている。
【００６３】
図２２の（ａ）および（ｂ）において、コネクタ離脱治具３０のフレーム上部材３１ａおよびフレーム下部材３１ｂはそれぞれ、オスコネクタ３２０の側壁３２３および側壁３２５に対向している。そして、アーム３３に形成されたビーク３４が、オスコネクタ３２０に形成されたフード３２９の後面３２７とメスコネクタ３１０に形成された離脱用突出部３１９の離脱用突出部前面３１９ｆとの間に侵入している。そして、ビーク後方平面３４ｄは離脱用突出部外面３１９ｃに当接している。なお、かかる状態を「治具保持状態」と称している。以下、治具保持状態に至る治具保持動作の開始前、動作中および終了時について、図２３を参照して説明する。
【００６４】
図２３の（ａ）において、コネクタ離脱治具３０は矢印Ｘ３の方向に移動されている。このとき、コネクタ離脱治具３０のビーク側方斜面（拾いテーパ面）３４ｔは、離脱用突出部３１９の側壁３１４側の側面（以下「離脱用突出部側面」と称す）３１９ｔの直上に位置している。
図２３の（ｂ）において、コネクタ離脱治具３０のアーム３３は矢印Ｚ３の方向にわずかに押し込まれている。このとき、コネクタ離脱治具３０のビーク側方斜面３４ｔは、メスコネクタ３１０の離脱用突出部側面３１９ｔと離脱用突出部外面３１９ｃとの角に当接して摺動している。このため、コネクタ離脱治具３０は矢印Ｘ３の方向（アーム側端３３ｅ方向に同じ）に移動する力を受ける。
図２３の（ｃ）において、コネクタ離脱治具３０のアーム３３は矢印Ｚ３の方向にさらに押し込まれ、コネクタ離脱治具３０のビーク後方平面３４ｄは、メスコネクタ３１０の離脱用突出部外面３１９ｃに当接している。このため、コネクタ離脱治具３０は離脱用突出部３１９を脱出不可能に保持した状態（治具保持状態）になっている。
そして、治具保持状態においてロック解除動作（これについては、別途詳細に説明する）が開始する。
【００６５】
（ロック解除動作）
図２４は本発明の実施の形態３に係るコネクタ離脱治具を説明するものであって、（ａ）はロック解除動作の開始時における底面視の断面の一部を拡大して示す部分断面図、（ｂ）はロック解除動作の終了時における底面視の断面の一部を拡大して示す部分断面図である。
図２４の（ａ）において、前記治具保持状態（図２２の（ａ）参照）から、コネクタ離脱治具３０のアーム３３は矢印Ｚ３の方向にさらに押し込まれている。このとき、アーム３３に形成されたビーク３４のビーク前方斜面（テーパ面）３４ｆは、オスコネクタ３２０に形成されたフード３２９の後面３２７に当接して摺動している。このため、コネクタ離脱治具３０は矢印Ｙ３の方向に押し出され、アーム３３のビーク後方斜面（逆テーパ面）３４ｒは、メスコネクタ３１０に形成された離脱用突出部３１９の離脱用突出部前面３１９ｆに押し当てられる。
【００６６】
図２４の（ｂ）において、コネクタ離脱治具３０のアーム３３は矢印Ｚ３の方向にさらに押し込まれている。このとき、アーム３３に形成されたアーム３３のビーク後方平面３４ｄは離脱用突出部３１９の離脱用突出部外面３１９ｃを矢印Ｚ３の方向に押し付け、ロックアーム（側壁外層部に同じ）３１３ｂを矢印Ｚ３の方向に弾性変形させて（撓ませて）いる。
このため、ロックアーム３１３ｂに形成されたロックビーク３１８は矢印Ｚ３の方向に移動して、オスコネクタ３２０に形成されたロックホール３２８から離脱する。すなわち、ロックビーク３１８のビーク後方斜面３１８ｒは、ロックホール３２８のロックホール後方斜面３２８ｒから離れた状態になり、ロック解除動作が終了する。
その後、コネクタ離脱治具３０を矢印Ｙ３の方向に移動させる力によって、メスコネクタ３１０は矢印Ｙ３の方向に押し出される。
【００６７】
（コネクタ離脱動作）
図２５は本発明の実施の形態３に係るコネクタ離脱治具を説明するものであって、コネクタ離脱動作における底面視の断面の一部を拡大して示す部分断面図である。
図２５において、ロック解除動作が終了した（図２４の（ｂ）参照）後も、コネクタ離脱治具３０のアーム３３は矢印Ｚ３の方向にさらに押し込まれている。このため、ロックアーム（側壁外層部に同じ）３１３ｂは矢印Ｚ３の方向にさらに弾性変形する（撓む）と共に、矢印Ｙ３の方向の力によって、メスコネクタ３１０は矢印Ｙ３の方向に押し出されている。すなわち、メスコネクタ３１０はオスコネクタ３２０から離脱する。
【００６８】
（作用効果）
以上のように、コネクタ離脱治具３０は、ビーク側方斜面３４ｔおよびビーク前方斜面３４ｆを具備するから、メスコネクタ３１０とオスコネクタ３２０との間に確実に保持され、１回の押し付け動作によって、ロックビーク３１８とロックホール３２８との係止（ロック）を解除すると共に、メスコネクタ３１０をオスコネクタ３２０から離脱させることができる。
このとき、ビーク側方斜面３４ｔおよびビーク前方斜面３４ｆによって押し付け力は増幅されるため、小さな押し付け力による１回の押し付け動作（ワンアクション）によって、ロック解除およびコネクタ離脱が可能になり、作業性が向上する。
【００６９】
［実施の形態４］
図２６および図２７は本発明の実施の形態４に係るコネクタ嵌合保持構造を説明するものであって、図２６は斜視図、図２７は構成部材をそれぞれ離して示す分解斜視図である。
なお、以下の説明において、実施の形態１と同じ部分または相当する部分には、符号の下二桁を同じにして、説明を省略する場合がある。また、図面が煩雑にならないようにするため、構成部材の一部の記載を省略し、一部の符号の記載を省略した図面がある。
【００７０】
（コネクタユニット）
図２６および図２７において、コネクタ嵌合保持構造４００は、内側コネクタ（以下「メスコネクタ」と称す）４１０ａ、４１０ｂ、４１０ｃと、図示しない第１ソレノイド、第２ソレノイド、第３ソレノイドにそれぞれ一体化された外側コネクタ（以下「オスコネクタ」と称す）４２０ａ、４２０ｂ、４２０ｃと、カバー４３０と、電線付きメス端子４４０ａ、４４０ｂ、４４０ｃとを有している。
なお、メスコネクタ４１０ａ、４１０ｂ、４１０ｃはそれぞれ同じものであり、オスコネクタ４２０ａ、４２０ｂ、４２０ｃはそれぞれ同じものであるから、以下、同じ内容の説明においては符号の添え字「ａ、ｂ、ｃ」の記載を省略する。また、それぞれの構成部材の各部位を示す符号についても、以下、同じ内容の説明においては符号の添え字「ａ、ｂ、ｃ」の記載を省略する。
また、本発明は、オスコネクタ４２０がソレノイド以外の電気部品や、電気部品以外の構造物に固定されてもよく、また、電線付きメス端子４４０は電線付きメス端子１４０（実施の形態１参照）に同じである。以下、構成部材のそれぞれについて順次詳細に説明する。
【００７１】
（メスコネクタ）
メスコネクタ４１０は、側壁４１２、４１３、４１４、４１５を具備する略直方体状のコネクタハウジング（以下「メスハウジング」と称す）４１１からなり、前面４１６および後面４１７に開口部が形成され、後面４１７から内部に電線付きメス端子４４０が挿入される。
そして、側壁４１２の後面４１７から所定の距離の位置に突出したカバー係止リブ４１８が形成されている。また、各稜線（側壁４１２と側壁４１３との交叉部等）の後面４１７に近い位置に、周囲に突出したカバー当て部４１９（合計４箇所）が形成されている。
以下の説明の便宜上、側壁４１２から側壁４１４に向かう方向を「Ｘ方向」、前面４１６から後面４１７に向かう方向を「Ｙ方向」、側壁４１５から側壁４１３に向かう方向を「Ｚ方向」と称す。そして、その他の構成部材についても、組み付け時の状況に基づいて同様に方向を規定する。
【００７２】
（オスコネクタ）
オスコネクタ４２０は、側壁４２２、４２３、４２４、４２５を具備する略直方体状のコネクタハウジング（以下「オスハウジング」と称す）４２１からなり後面４２７に開口部が形成され、後面４２７から内部にメスコネクタ４１０が挿入される。また、側壁４２４の全部または一部が図示しないソレノイドの外面に固定されている。
そして、側壁４２２には、後面４２７から所定の距離離れた位置から前面４２６に到達するカバー係止孔４２８が形成されている。なお、カバー係止孔４２８は、後記するオスコネクタ係止ボス６２０が係止するものであって、かかる係止が可能である限り、前面４２６に到達しない所定の長さであっても、また、側壁４２２を貫通しない凹部や側壁４２２から突出した突部であってもよい。
【００７３】
（カバー）
図２８〜図３１は、図２６に示すカバーを説明するものであって、図２８の（ａ）は斜め正面側からの斜視図、図２８の（ｂ）は斜め背面側からの斜視図、図２８の（ｃ）は図２８の（ｂ）の一部を拡大して示す拡大斜視図、図２９の（ａ）は正面図、図２９の（ｂ）は側面図、図３０の（ａ）は図２９の（ａ）における断面Ａ−Ａの断面図、図３０の（ｂ）は図２９の（ａ）における断面Ｂ−Ｂの断面図、図３１の（ａ）は構成部材の一部（メスコネクタ保持部）を示す斜め正面側からの斜視図、図３１の（ｂ）は構成部材の一部（オスコネクタ係止部）を示す斜め正面側からの斜視図、図３１の（ｃ）は図３１の（ｂ）の一部を拡大して示す拡大斜視図である。
【００７４】
図２８〜図３１において、カバー４３０はヒンジ４３１ａ、４３１ｂ、４３１ｃによって互いに回動可能に連結されたメスコネクタ保持部５００とオスコネクタ係止部６００とを有している。ヒンジ４３１ａ、４３１ｂ、４３１ｃはＺ方向の同一線上に配置され、メスコネクタ保持部５００とオスコネクタ係止部６００とはＸ−Ｙ面内において相対的に回動可能である。なお、ヒンジ４３１ａ、４３１ｂ、４３１ｃは同じものであるから、以下、符号の添え字「ａ、ｂ、ｃ」の記載を省略する場合がある。以下、各部材について順次説明する。
【００７５】
（カバーのメスコネクタ保持部）
メスコネクタ保持部５００は、Ｚ方向に長い箱体（以下「フレーム」と称す）５０１からなっている。フレーム５０１は、Ｙ−Ｚ面に平行なフレーム上面５０２およびフレーム下面５０４と、Ｘ−Ｙ面に平行なフレーム側面５０３およびフレーム側面５０５と、Ｘ−Ｚ面に平行なフレーム前面５０６およびフレーム後面５０７とを具備している（図３１の（ａ）参照）。
そして、フレーム前面５０６およびフレーム後面５０７を貫通するＹ方向に平行なメスコネクタ保持孔５１０ａ、５１０ｂ、５１０ｃが、Ｚ方向で所定の間隔を空けて配置されている。
また、フレーム前面５０６には、メスコネクタ保持孔５１０ａとメスコネクタ保持孔５１０ｂとの間にカバーロックアーム５３０ａが、メスコネクタ保持孔５１０ｂとメスコネクタ保持孔５１０ｃとの間にカバーロックアーム５３０ｂが設けられ、いずれも、Ｘ−Ｙ面に平行に突出している。
さらに、フレーム後面５０７には、カバーロックアーム５３０ａおよびカバーロックアーム５３０ｂに対応した位相に、Ｘ−Ｙ面に平行で突出したＬ字アーム５５０ａ、５５０ｂおよびＬ字アーム５５０ｃ、５５０ｄがそれぞれ設けられている。なお、各部位についての同じ内容においては、符号に付した添え字「ａ、ｂ、ｃ、ｄ」の記載を省略して説明する。
【００７６】
（メスコネクタ保持部のメスコネクタ保持孔）
メスコネクタ保持孔５１０は、メスコネクタ４１０が侵入可能な断面矩形状であって、メスコネクタ保持孔上面５１２、メスコネクタ保持孔側面５１３、メスコネクタ保持孔下面５１４およびメスコネクタ保持孔側面５１５によって包囲されている。なお、メスコネクタ保持孔上面５１２およびメスコネクタ保持孔下面５１４は、フレーム上面５０２およびフレーム下面５０４の一部によって形成されている。
そして、メスコネクタ保持孔上面５１２には、フレーム後面５０７側の端面に到達する一対のメスコネクタ保持孔スリット５１６が形成され、メスコネクタ保持孔スリット５１６に挟まれた短冊状の範囲が、フレーム前面５０６側を支点にした片持梁（カンチレバー）状のメスコネクタ係止アーム５１７になっている。さらに、メスコネクタ係止アーム５１７のフレーム後面５０７側の端部は内側に向かって（メスコネクタ保持孔下面５１４に向かって）突出したメスコネクタ係止ビーク５１８が形成されている。
さらに、メスコネクタ保持孔側面５１３、５１５およびメスコネクタ保持孔下面５１４のフレーム後面５０７側の端部はメスコネクタ当て面５１９になっている（図２８の（ｃ）参照）。
【００７７】
（メスコネクタ保持部のカバーロックアーム）
カバーロックアーム５３０は、互いに平行な（Ｘ−Ｙ面に平行な）一対のカバーロックアーム側板５３１からなっている。そして、カバーロックアーム側板５３１の互いに対向する面（以下「カバーロックアーム側板内面」と称す）５３２には、フレーム上面５０２側でフレーム前面５０６から離れた角部に、互いに対向するように突出したカバーロックアーム突起５３３が形成されている。したがって、カバーロックアーム突起５３３とフレーム前面５０６との間には、所定の間隔のカバーロックアーム溝５３４が形成されている（図３１の（ａ）等参照）。
【００７８】
（メスコネクタ保持部のＬ字アーム）
Ｌ字アーム５５０ａおよびＬ字アーム５５０ｂは、Ｚ方向で所定の間隔を空けて配置され、Ｌ字アーム５５０ａは下方向に折れ曲がり、Ｌ字アーム５５０ｂは上方向に折れ曲がっている。このため、Ｚ方向に見たとき、両者の先端は略接するように視認され、両者によってＸ−Ｙ平面に平行な矩形状の空間が視認される（図２９の（ｂ）等参照）。
同様に、Ｌ字アーム５５０ｃおよびＬ字アーム５５０ｄは、Ｚ方向で所定の間隔を空けた配置され、Ｚ方向に見たとき、Ｘ−Ｙ平面に平行な矩形状の空間が視認される。
【００７９】
（メスコネクタ保持部のフレーム延長側面）
なお、フレーム側面５０３、５０５はそれぞれ、フレーム前面５０６から遠ざかる方向に突出するように延長され、Ｘ−Ｙ面に平行なフレーム延長側面５４３、５４５が設けられている（図２８の（ａ）および図３１の（ａ）等参照）。
【００８０】
（カバーのオスコネクタ係止部）
オスコネクタ係止部６００は、Ｚ方向に長い板体（以下「プレート」と称す）６０１からなっている。プレート６０１は、Ｙ−Ｚ面に平行なプレート上面６０２およびプレート下面６０４と、Ｘ−Ｙ面に平行なプレート側面６０３およびプレート下面６０５と、Ｘ−Ｚ面に平行なプレート前面６０６およびプレート後面６０７とを具備している。
そして、プレート前面６０６のプレート上面６０２寄りの位置に、突出したオスコネクタ係止ボス６２０ａ、６２０ｂ、６２０ｃがＺ方向で所定の間隔を空けて設けられている。なお、オスコネクタ係止ボス６２０ａ、６２０ｂ、６２０ｃは何れも同じものであるから、以下、符号に付した「ａ、ｂ、ｃ」の記載を省略して説明する場合がある。そして、オスコネクタ係止ボス６２０は、オスコネクタ４２０に形成されたカバー係止孔４２８（図２７参照）に係止（侵入）可能な大きさになっている。
【００８１】
（オスコネクタ係止部のカバーロックアーム）
さらに、プレート前面６０６には、オスコネクタ係止ボス６２０ａとオスコネクタ係止ボス６２０ｂとの間にカバーロックアーム６３０ａが、オスコネクタ係止ボス６２０ｂとオスコネクタ係止ボス６２０ｃとの間にカバーロックアーム６３０ｂがそれぞれ設けられている。なお、カバーロックアーム６３０ａとカバーロックアーム６３０ｂとは同じものであるから、符号に付した「ａ、ｂ」の記載を省略して説明する場合がある。
カバーロックアーム６３０は、側面視（Ｚ方向視）で略Ｕ字状である。カバーロックアーム６３０は、プレート前面６０６に垂直に固定されたカバーロックアーム固定部６３１と、カバーロックアーム固定部６３１の先端に形成されたカバーロックアーム折り返し部６３２と、カバーロックアーム折り返し部６３２に連なって、カバーロックアーム固定部６３１に略平行に対向するように配置されたカバーロックアーム撓み部６３３と具備している。そして、カバーロックアーム撓み部６３３の先端部（カバーロックアーム折り返し部６３２から離れた先端に近い範囲）がカバーロックアーム指当て部６３４になっている。
さらに、カバーロックアーム撓み部６３３の両方の側面（Ｘ−Ｙ面に平行な面、以下「カバーロックアーム側面」と称す）６３５には突出したカバーロックビーク（外突起に同じ）６３６がそれぞれ設けられている。
【００８２】
（オスコネクタ係止部のカバーロックビーク）
カバーロックビーク６３６は、カバーロックアーム折り返し部６３２に近づくほどカバーロックアーム固定部６３１に近づくように傾斜したカバーロックビーク斜面６３７と、カバーロックビーク斜面６３７に連続して、カバーロックアーム固定部６３１に対して略垂直なカバーロックビーク係止面６３８とを具備している。なお、カバーロックビーク６３６のカバーロックアーム側面６３５に平行な面を、カバーロックビーク側面６３９と称す（図３１の（ｃ）参照）。
そして、カバーロックアーム側面６３５同士の間隔（Ｚ方向の距離）は、メスコネクタ保持部５００のカバーロックアーム突起５３３の互いに対向した面同士の間隔（Ｚ方向の距離）よりもわずかに小さい。また、カバーロックビーク側面６３９同士の間隔（Ｚ方向の距離）は、メスコネクタ保持部５００のカバーロックアーム溝５３４同士の間隔よりもわずかに小さく、かつ、カバーロックアーム突起５３３の互いに対向した面同士の間隔よりも大きくなっている。すなわち、Ｘ−Ｙ面に平行な面を仮定すると、カバーロックビーク６３６とカバーロックアーム突起５３３との両方に交叉するＸ−Ｙ面に平行な仮想面が存在する。
【００８３】
（コネクタ嵌合保持構造の組み立て方法）
次に、コネクタ嵌合保持構造４００の組み立て方法を、仮組み立て（プレアッセンブリ）と本組み立て（アッセンブリ）に分けて説明し、最後に、コネクタの離脱動作について説明する。
【００８４】
（プレアッセンブリ）
図３２および図３３は、本発明の実施の形態４に係るコネクタ嵌合保持構造の組み立てにおけるプレアッセンブリを説明するものであって、図３２の（ａ）はプレアッセンブリ状態における斜め正面側からの斜視図、図３２の（ｂ）はプレアッセンブリ状態における斜め背面側からの斜視図、図３３の（ａ）はプレアッセンブリ状態における一部を拡大して示す部分正面面、図３３の（ｂ）は図３３の（ａ）における断面Ｄ−Ｄの部分断面図である。
【００８５】
図３２および図３３において、カバー４３０は、オスコネクタ係止部６００のプレート後面６０７がメスコネクタ保持部５００のフレーム前面５０６と略平行になった状態で、カバー４３０のメスコネクタ保持孔５１０ａ、５１０ｂ、５１０ｃにメスコネクタ４１０ａ、４１０ｂ、４１０ｃがそれぞれ挿入されている。すなわち、メスコネクタ４１０は、フレーム後面５０７からフレーム前面５０６に向かって矢印Ｙ４の方向に挿入されている。
このとき、メスコネクタ４１０のカバー当て部４１９はカバー４３０のメスコネクタ当て面５１９に当接し、メスコネクタ４１０のカバー係止リブ４１８はカバー４３０のメスコネクタ係止ビーク５１８に係止している。すなわち、メスコネクタ４１０は、カバー４３０（メスコネクタ保持部５００のメスコネクタ保持孔５１０）に対して決められた位置関係において、抜け出し不可能に保持されている（図３３の（ｂ）参照）。
【００８６】
さらに、メスコネクタ４１０には電線付きメス端子４４０が設置され、メスコネクタ４１０ａから引き出された電線付きメス端子４４０ａの電線４４２ａがＬ字アーム５５０ａおよびＬ字アーム５５０ｂによって位置および配索方向が規制され、メスコネクタ４１０ｂから引き出された電線付きメス端子４４０ｂの電線４４２ｂが、電線４４２ａと共にＬ字アーム５５０ｃおよびＬ字アーム５５０ｄによって位置および配索方向が規制されている。なお、本発明において、かかる状態を「プレアッセンブリ」状態と称している。
【００８７】
（アッセンブリ）
図３４〜図３６は本発明の実施の形態４に係るコネクタ嵌合保持構造の組み立てにおけるアッセンブリを説明するものであって、図３４の（ａ）はアッセンブリの初期における斜視図、図３４の（ｂ）はアッセンブリの初期における一部を拡大して示す正面視の部分断面図、図３５の（ａ）はアッセンブリの初期における一部を拡大して示す図３４の（ｂ）の断面Ｇ−Ｇの部分断面図、図３５の（ｂ）はアッセンブリの初期における一部を拡大して示す図３４の（ｂ）の断面Ｅ−Ｅの部分断面図、図３６の（ａ）はアッセンブリの終期における一部を拡大して示す図３４の（ｂ）の断面Ｇ−Ｇに相当する断面の部分断面図、図３６の（ｂ）はアッセンブリの終期における一部を拡大して示す図３４の（ｂ）の断面Ｅ−Ｅに相当する断面の部分断面図である。
【００８８】
（アッセンブリの初期）
図３４および図３５において、プレアッセンブリされた状態のメスコネクタ４１０が、オスコネクタ４２０に後面４２７から前面４２６に向かって矢印Ｙ４の方向に挿入されている。すなわち、メスコネクタ４１０ａ、４１０ｂ、４１０ｃはそれぞれ、オスコネクタ４２０ａ、４２０ｂ、４２０ｃに挿入されている。
このとき、オスコネクタ４２０ａの側壁４２３ａおよび側壁４２５ａはそれぞれ、カバー４３０のフレーム延長側面５４３およびカバーロックアーム側板５３１ａに当接またはわずかの隙間を介して対向している。また、オスコネクタ４２０ｂの側壁４２３ｂおよび側壁４２５ｂはそれぞれ、カバーロックアーム側板５３１ａおよびカバーロックアーム側板５３１ｂに当接またはわずかの隙間を介して対向している。さらに、オスコネクタ４２０ｃの側壁４２３ｃおよび側壁４２５ｃはそれぞれ、カバーロックアーム側板５３１ｂおよびカバー４３０のフレーム延長側面５４５に当接またはわずかの隙間を介して対向している。
さらに、オスコネクタ４２０に形成されたカバー係止孔４２８とカバー４３０に設けられたオスコネクタ係止ボス６２０との位相はそれぞれ一致している。すなわち、カバー係止孔４２８ａとオスコネクタ係止ボス６２０ａとは同一のＸ−Ｙ面内に位置し、カバー係止孔４２８ｂとオスコネクタ係止ボス６２０ｂとは同一のＸ−Ｙ面内に位置し、カバー係止孔４２８ｃとオスコネクタ係止ボス６２０ｃとは同一のＸ−Ｙ面内に位置している。
【００８９】
（アッセンブリの終期）
図３６おいて、オスコネクタ係止部６００がメスコネクタ保持部５００に対して矢印Ｒ４の方向に回動されている。このとき、前者のカバーロックビーク６３６のカバーロックビーク斜面６３７は後者のカバーロックアーム突起５３３に摺動する。このとき、カバーロックアーム撓み部６３３はカバーロックアーム固定部６３１の方向の力を受けて弾性変形する（撓む）ため、カバーロックビーク６３６はカバーロックアーム溝５３４に侵入可能になる。
そして、カバーロックビーク６３６がカバーロックアーム溝５３４を通過したところで、カバーロックビーク斜面６３７はカバーロックアーム突起５３３から外れ、カバーロックアーム撓み部６３３は弾性復元する。そうすると、今度は、カバーロックビーク係止面６３８がカバーロックアーム突起５３３に係止するため、オスコネクタ係止部６００のカバーロックアーム６３０は、メスコネクタ保持部５００のカバーロックアームから抜け出し不可能になる。すなわち、オスコネクタ係止部６００はメスコネクタ保持部５００に対して回動不可能になる（図２６参照）。
【００９０】
このとき、オスコネクタ係止部６００に設けられたオスコネクタ係止ボス６２０は、オスコネクタ４２０に形成されたカバー係止孔４２８に係止（侵入）する。
そうすると、プレアッセンブリにおいてメスコネクタ４１０のカバー係止リブ４１８はカバー４３０のメスコネクタ係止ビーク５１８に既に係止して、メスコネクタ４１０とカバー４３０とは互いに嵌合され離脱不可能であるから、メスコネクタ４１０とオスコネクタ４２０とはカバー４３０を介して抜け出し不可能に保持（ロック）されたことになる。
【００９１】
（コネクタの離脱動作）
図３７は、本発明の実施の形態４に係るコネクタ嵌合保持構造の組み立てにおけるコネクタの離脱動作を説明するものであって、（ａ）は離脱動作の初期における図３４の（ｂ）の断面Ｇ−Ｇに相当する断面の部分拡大断面図、（ｂ）は離脱動作の終期における図３４の（ｂ）の断面Ｅ−Ｅに相当する断面の部分拡大断面図ある。
図３７の（ａ）において、カバーロックアーム指当て部６３４が矢印Ｙ５の方向（カバーロックアーム固定部６３１の方向）に押し付けられ、カバーロックアーム撓み部６３３はカバーロックアーム固定部６３１に近接している。このため、カバーロックビーク係止面６３８はカバーロックアーム突起５３３から離れ、カバーロックビーク６３６はカバーロックアーム溝５３４を通過可能になっている。
図３７の（ｂ）において、前記状態のまま、オスコネクタ係止部６００をメスコネクタ保持部５００に対して矢印Ｒ５の方向（アッセンブリのときとは反対の方向に同じ）に回動することによって、カバーロックアーム６３０はカバーロックアーム５３０から抜け出し、オスコネクタ係止部６００はメスコネクタ保持部５００に対して回動する。
すなわち、前記回動によって、オスコネクタ係止部６００に設けられたオスコネクタ係止ボス６２０は、オスコネクタ４２０に形成されたカバー係止孔４２８から離脱するため、オスコネクタ４２０に挿入されていたメスコネクタ４１０（カバー４３０と一体にプレアッセンブリされている）は、オスコネクタ４２０から抜き出し可能になる。
【００９２】
さらに、図３７の（ｂ）において、カバー４３０のメスコネクタ係止アーム５１７は、先端部が持ち上げられ、矢印Ｒ６の方向に回動されている。このため、メスコネクタ係止ビーク５１８は、メスコネクタ４１０のカバー係止リブ４１８から外れ、メスコネクタ４１０はカバー４３０（メスコネクタ保持孔５１０）から引き出し可能になっている。
【００９３】
（作用効果）
以上のように、コネクタ嵌合保持構造４００は、互いに回動可能に連結されたメスコネクタ保持部５００およびオスコネクタ係止部６００を具備するカバー４３０を有し、メスコネクタ保持部５００のメスコネクタ係止ビーク５１８がメスコネクタ４１０のカバー係止リブ４１８に係止したプレアッセンブリ状態で、オスコネクタ係止部６００を回動することによって、オスコネクタ係止部６００のオスコネクタ係止ボス６２０をオスコネクタ４２０のカバー係止孔４２８に係止（侵入）することができる。したがって、メスコネクタ４１０とオスコネクタ４２０とは、簡単な動作によって離脱不可能に嵌合保持される（アッセンブリできる）。
また、オスコネクタ係止部６００のカバーロックアーム撓み部６３３を弾性変形させて、オスコネクタ係止部６００を前記とは反対の方向に回動することによって、オスコネクタ４２０のカバー係止孔４２８とオスコネクタ係止部６００のオスコネクタ係止ボス６２０との係止を解放し、メスコネクタ保持部５００のメスコネクタ係止アーム５１７を弾性変形させるだけで、メスコネクタ保持部５００からメスコネクタ４１０を離脱可能にすることができる。したがって、簡単な動作によってオスコネクタ４２０とカバー４３０とメスコネクタ４１０とを、それぞれ引き離すことができる。
よって、メスコネクタ４１０とオスコネクタ４２０との嵌合・離脱の作業性が向上する（嵌合・離脱の作業回数が低減する）。なお、コネクタ嵌合保持構造４００は以上であるから、それ自体がコネクタ嵌合保持機能と共に、コネクタ離脱治具としての機能を有している。
さらに、カバー４３０にはＬ字アーム５５０が設けられているから、電線付きメス端子４４０の電線４４２の位置や配索方向を規制することができる。
【００９４】
以上、本発明を実施の形態をもとに説明した。この実施の形態は例示であり、それらの各構成要素及びその組合せにいろいろな変形例が可能なこと、またそうした変形例も本発明の範囲にあることは当業者に理解されるところである。
【産業上の利用可能性】
【００９５】
本発明は以上であるから、各種機器に設置されるコネクタ離脱治具として広く利用することができる。
【符号の説明】
【００９６】
１０  ：コネクタ離脱治具（実施の形態１）
１１  ：掴み部
１１ａ：中心軸
１２  ：コネクタ離脱突起
１２ｆ：離脱突起前面
１２ｒ：離脱突起後面
１３  ：ロック解除突起
１３ａ：解除突起上面
１３ｂ：解除突起下面
１３ｃ：解除突起斜面
１３ｆ：解除突起先端面
１５  ：回動支点
１６  ：作用支点
１７  ：作用支点
１８  ：作用支点
２０  ：コネクタ離脱治具（実施の形態２）
２１  ：掴み部
２１ａ：中心軸
２２  ：支持部
２３  ：挿入部
２３ａ：治具上面
２３ｂ：治具下面
２３ｆ：治具先端
２４  ：治具先端テーパ
２５  ：治具係止突起
２５ｆ：治具係止テーパ面
２５ｒ：治具係止垂直面
３０  ：コネクタ離脱治具（実施の形態３）
３１  ：フレーム
３１ａ：フレーム上部材
３１ｂ：フレーム下部材
３１ｃ：フレーム中部材
３１ｆ：フレーム前面
３１ｒ：フレーム後面
３２ａ：フレームスリット
３２ｃ：フレームスリット
３３  ：アーム
３３ａ：アーム外面
３３ｂ：アーム内面
３３ｅ：アーム側端
３３ｆ：アーム先端
３３ｒ：アーム後端
３４  ：ビーク
３４ｃ：ビーク前方平面
３４ｄ：ビーク後方平面
３４ｅ：ビーク側方平面
３４ｆ：ビーク前方斜面
３４ｒ：ビーク後方斜面
３４ｔ：ビーク側方斜面
３５ｂ：フレーム下保持突条
３５ｃ：フレーム中保持突条
１００：コネクタユニット（実施の形態１）
１１０：メスコネクタ
１１１：メスハウジング
１１８：ロックビーク
１２０：オスコネクタ
１２８：ロックホール
１２９：フード
１３０：カバー
１４０：電線付きメス端子
２００：コネクタユニット（実施の形態２）
２１０：メスコネクタ
２１１：メスハウジング
２１８：ロックビーク
２１９：治具係止用孔
２２０：オスコネクタ
２２８：ロックホール
２２９：フード
２３０：カバー
２４０：電線付きメス端子
３００：コネクタユニット（実施の形態３）
３１０：メスコネクタ
３１１：メスハウジング
３１３ｂ：ロックアーム
３１８：ロックビーク
３１９：離脱用突出部
３２０：オスコネクタ
３２８：ロックホール
３２９：フード
３３０：カバー
３４０：電線付きメス端子
４００：コネクタ嵌合保持構造（実施の形態４）
４１０：メスコネクタ
４１１：メスハウジング
４１８：カバー係止リブ
４１９：カバー当て部
４２０：オスコネクタ
４２１：オスハウジング
４２８：カバー係止孔
４３０：カバー
４４０：電線付きメス端子
５００：メスコネクタ保持部
５０１：フレーム
５１０：メスコネクタ保持孔
５１７：メスコネクタ係止アーム
５１８：メスコネクタ係止ビーク
５１９：メスコネクタ当て面
５３０：カバーロックアーム
５５０：Ｌ字アーム
６００：オスコネクタ係止部
６２０：オスコネクタ係止ボス
６３０：カバーロックアーム
６３６：カバーロックビーク
【図１】
2017069136.tif 000003
【図２】
2017069136.tif 000004
【図３】
2017069136.tif 000005
【図４】
2017069136.tif 000006
【図５】
2017069136.tif 000007
【図６】
2017069136.tif 000008
【図７】
2017069136.tif 000009
【図８】
2017069136.tif 000010
【図９】
2017069136.tif 000011
【図１０】
2017069136.tif 000012
【図１１】
2017069136.tif 000013
【図１２】
2017069136.tif 000014
【図１３】
2017069136.tif 000015
【図１４】
2017069136.tif 000016
【図１５】
2017069136.tif 000017
【図１６】
2017069136.tif 000018
【図１７】
2017069136.tif 000019
【図１８】
2017069136.tif 000020
【図１９】
2017069136.tif 000021
【図２０】
2017069136.tif 000022
【図２１】
2017069136.tif 000023
【図２２】
2017069136.tif 000024
【図２３】
2017069136.tif 000025
【図２４】
2017069136.tif 000026
【図２５】
2017069136.tif 000027
【図２６】
2017069136.tif 000028
【図２７】
2017069136.tif 000029
【図２８】
2017069136.tif 000030
【図２９】
2017069136.tif 000031
【図３０】
2017069136.tif 000032
【図３１】
2017069136.tif 000033
【図３２】
2017069136.tif 000034
【図３３】
2017069136.tif 000035
【図３４】
2017069136.tif 000036
【図３５】
2017069136.tif 000037
【図３６】
2017069136.tif 000038
【図３７】
2017069136.tif 000039